(57)【要約】【課題】幕板を設けなくとも、その外観を秀麗に仕上げることができるとともに、建物躯体の外表面を覆う上方の外装材と下方の外装材との間の幅の狭い隙間でも容易に取り付けることができる水切り部材。【解決手段】予め表面に外装材１０ｂ、１１ｂが取り付けられた外装材付き壁パネル１０、１１を上下階に配置し、これら上下階の外装材付き壁パネル１０、１１の上階外装材１０ｂと下階外装材１１ｂとの間の幅狭部Ｈに取り付ける水切り部材Ａにおいて、前記幅狭部Ｈに所定間隔で挿入し、かつ、少なくとも前記下階外装材１１ｂの上面１１ｃに設置することによって、幅狭部Ｈに仮固定される複数の下地部材１と、前記幅狭部Ｈに、その長手方向に沿って挿入することで、前記下地部材１に係合し、かつ、前記幅狭部Ｈおよび前記下階外装材１１ｂの上端部を覆うようにして、建物躯体に固定する水切り本体２とを備えている。【選択図】図１
2006097451.tif 000002
【特許請求の範囲】
【請求項１】
建物躯体の外表面を覆う上方の外装材と下方の外装材との間の幅狭部に取り付けられる水切り部材において、
前記建物躯体の表面に設けられるとともに、前記下方の外装材の上面に設置されて、前記幅狭部に取り付けられる支持体と、
前記幅狭部の長手方向に沿って挿入されるとともに、前記支持体の一部と連結し、かつ、前記幅狭部および前記下方の外装材の上端部を覆うようにして設けられる水切り本体とを備えていることを特徴とする水切り部材。
【請求項２】
請求項１に記載の水切り部材において、
予め表面に外装材が取り付けられた外装材付き壁パネルが上下階に配置され、これら上下階の外装材付き壁パネルの上階外装材である前記上方の外装材と下階外装材である前記下方の外装材との間の幅狭部に取り付けられるものであり、
前記支持体は、前記幅狭部に所定間隔で挿入されて前記建物躯体の表面に設けられ、かつ、少なくとも前記下階外装材の上面に設置されることによって、幅狭部に仮固定される複数の下地部材として構成されており、
前記水切り本体は、前記幅狭部の長手方向に沿って挿入されることで、前記下地部材に係合して連結し、かつ、前記幅狭部および前記下階外装材の上端部を覆うようにして設けられていることを特徴とする水切り部材。
【請求項３】
請求項２に記載の水切り部材において、
前記下地部材は、前記水切り本体とともに建物躯体に固定される下地部材本体と、この下地部材本体に連結され、かつ、前記下階外装材の上面に設置される取り付け補助部材とから構成されていることを特徴とする水切り部材。
【請求項４】
請求項３に記載の水切り部材において、
前記下地部材本体の表面に第１および第２のレール部が上下に離間して形成されており、前記第１のレール部の上溝部には、前記水切り本体の一部が挿入され、この第１のレール部の下溝部と前記第２のレール部の溝部とには、前記取り付け補助部材の一部が嵌合されていることを特徴とする水切り部材。
【請求項５】
請求項３または４に記載の水切り部材において、
前記下地部材本体の裏面には、この下地部材本体を前記上階の外装材付き壁パネルの一部に支持させる第１および第２の脚部と、前記下階の外装材付き壁パネルの一部に支持させる第３の脚部が形成されていることを特徴とする水切り部材。
【請求項６】
請求項２〜５のいずれか一項に記載の水切り部材において、
前記水切り本体の上端部裏面に形成された係止部と、前記水切り本体の下端部裏面に形成された下端係止部間に、互いに隣接する水切り本体どうしを連結するジョイナー部材が前記水切り本体の裏面に沿って取り付けられていることを特徴とする水切り部材。
【請求項７】
請求項１に記載の水切り部材において、
予め外壁パネル表面の上下方向に取り付けられた上方外装材である前記上方の外装材と下方外装材である前記下方の外装材との間の幅狭部に取り付けられるものであり、
前記支持体は、前記水切り本体を支持する下地材として、前記外壁パネルの表面に設けられるとともに、前記下方外装材の上面に設置されて、前記幅狭部に取り付けられ、
前記水切り本体は、前記幅狭部の長手方向に沿って挿入されるとともに、前記下地材の一部と連結し、かつ、前記幅狭部および前記下方外装材の上端部を覆うようにして設けられていることを特徴とする水切り部材。
【請求項８】
請求項７に記載の水切り部材において、
前記下地材は、前記水切り本体とともに外壁パネルに固定される胴縁と、前記下方外装材の上面に配置され、かつ、前記胴縁とともに前記外壁パネルに固定される取り付け補助部材とから構成されていることを特徴とする水切り部材。
【請求項９】
請求項７または８に記載の水切り部材において、
前記水切り本体の上端部裏面に形成された係止部と、前記水切り本体の下端部裏面に形成された下端係止部間に、互いに隣接する水切り本体どうしを連結するジョイナー部材が前記水切り本体の裏面に沿って取り付けられていることを特徴とする水切り部材。
【発明の詳細な説明】
【技術分野】
【０００１】
本発明は、上階の外装材付き壁パネルの外装材と、下階の外装材付き壁パネルの外装材との間の幅狭部等、建物躯体の外表面を覆う上方の外装材と下方の外装材との間に生じる幅の狭い隙間に取り付けられる水切り部材に関する。
【背景技術】
【０００２】
近年、住宅の構築についてはその工業化が進み、例えば壁や床、屋根といった構成要素を予め工場にてパネル化しておき、施工現場でこれらのパネルを組み立てることにより住宅を構築するパネル工法が一部に採用されている。
【０００３】
このようなパネル工法では、建物の構造壁となる壁パネルと、この壁パネルの外面側を覆うように設けられる防水透湿シートと、この防水透湿シート上から胴縁を介して壁パネルに取り付けられる外装材とから外装材付き壁パネルを構成し、この外装材付き壁パネルを現場へ搬送することで、現場での施工効率を大幅に向上している（例えば、特許文献１参照。）。
【特許文献１】特開２００１−１５２５６６号公報
【発明の開示】
【発明が解決しようとする課題】
【０００４】
ところで、前記特許文献１に示すように、建物の上階に設けられる外装材付き壁パネルには、該壁パネルの下端から下方に突出するように外装材が設けられており、下階に設けられる外装材付き壁パネルにおいては、外装材が、その上端が該壁パネルの上端よりも下方に位置するように設けられていた。
これら上階および下階の外装材付き壁パネルの間には胴差や床パネルが設けられていることから、上階の外装材の下端部と、下階の外装材の上端部との間に隙間が生じ、さらに、この隙間を塞ぐために幕板が設けられていた。
【０００５】
しかし、幕板は外装材と同質材や塩化ビニル鋼板等で形成されており、このように大きな隙間を覆うものであることから、製作や搬送、取り付け作業等の面で難点を伴った。
【０００６】
そこで、幕板を設けなくともその外観を秀麗に仕上げることができるように、上階の外装材の下端部を、上階の壁パネルの下端部から上階の床部の下端部近傍まで突出させるとともに、下階の外装材の上端部を、下階の壁パネルの上端部とほぼ同じ高さ位置まで覆うように取り付ける技術が試みられている。
【０００７】
この場合、上階の外装材付き壁パネルの外装材と、下階の外装材付き壁パネルの外装材との間に幅の狭い隙間が形成されるが、この隙間に対して、雨水等の水の侵入を防止する水切り部材を取り付けなければならかった。
【０００８】
一方、下階の外装材の上端部を、上階と下階との間の胴差よりも上方に延出させたり、また、上階の外装材の下端部を、前記胴差よりも下方に延出させたりすることによって、見映え良く構築された建物等が知られている。
【０００９】
このような建物においては、上階もしくは下階の外壁パネルの中間部近傍に、上方の外装材の下端部と下方の外装材の上端部とが位置する状態となる。
このような場合にも、前記上方の外装材の下端部と下方の外装材の上端部との間に、上述のような幅の狭い隙間が形成されるが、この隙間に対して、雨水等の水の侵入を防止する水切り部材を取り付けなければならなかった。
【００１０】
本発明の課題は、幕板を設けなくとも、その外観を秀麗に仕上げることができるとともに、建物躯体の外表面を覆う上方の外装材と下方の外装材との間の幅の狭い隙間でも容易に取り付けることができる水切り部材を提供することを目的とする。
【課題を解決するための手段】
【００１１】
請求項１に記載の発明は、例えば図２または図６に示すように、建物躯体の外表面を覆う上方の外装材１０ｂと下方の外装材１１ｂとの間の幅狭部Ｈに取り付けられる水切り部材Ａにおいて、
前記建物躯体の表面に設けるとともに、前記下方の外装材１１ｂの上面１１ｃに設置して、前記幅狭部Ｈに取り付ける支持体１と、
前記幅狭部Ｈの長手方向に沿って挿入するとともに、前記支持体１の一部と連結し、かつ、前記幅狭部Ｈおよび前記下方の外装材１１ｂの上端部を覆うようにして設ける水切り本体２とを備えていることを前記課題の解決手段とした。
【００１２】
請求項１に記載の発明によれば、建物躯体の外表面を覆う上方の外装材１０ｂと下方の外装材１１ｂとの間の幅狭部Ｈに取り付けられる水切り部材Ａにおいて、
前記建物躯体の表面に設けるとともに、前記下方の外装材１１ｂの上面１１ｃに設置して、前記幅狭部Ｈに取り付ける支持体１と、
前記幅狭部Ｈの長手方向に沿って挿入するとともに、前記支持体１の一部と連結し、かつ、前記幅狭部Ｈおよび前記下方の外装材１１ｂの上端部を覆うようにして設ける水切り本体２とを備えていることから、前記上方の外装材１０ｂと下方の外装材１１ｂとの間の幅狭部Ｈを、前記水切り部材Ａを構成する水切り本体２によって覆うことができるので、従来とは異なり、幕板を設けなくとも、秀麗な外観に仕上げることができる。
また、前記水切り部材Ａを構成する支持体１を、前記建物躯体の表面に設けるとともに、前記下方の外装材１１ｂの上面１１ｃに設置して、前記幅狭部Ｈに取り付けるので、前記幅狭部Ｈのような狭い隙間においても、前記水切り部材Ａを容易に取り付けることができる。
【００１３】
請求項２に記載の発明は、例えば図１および図２に示すように、請求項１に記載の水切り部材Ａにおいて、
予め表面に外装材１０ｂ、１１ｂが取り付けられた外装材付き壁パネル１０、１１を上下階に配置し、これら上下階の外装材付き壁パネル１０、１１の上階外装材１０ｂである前記上方の外装材１０ｂと下階外装材１１ｂである前記下方の外装材１１ｂとの間の幅狭部Ｈに取り付けるものであり、
前記支持体１を、前記幅狭部Ｈに所定間隔で挿入して前記建物躯体の表面に設け、かつ、少なくとも前記下階外装材１１ｂの上面１１ｃに設置することによって、幅狭部Ｈに仮固定される複数の下地部材１として構成しており、
前記水切り本体２を、前記幅狭部Ｈの長手方向に沿って挿入することで、前記下地部材１に係合して連結し、かつ、前記幅狭部Ｈおよび前記下階外装材１１ｂの上端部を覆うようにして設けていることを前記課題の解決手段とした。
【００１４】
請求項２に記載の発明によれば、予め表面に外装材１０ｂ、１１ｂが取り付けられた外装材付き壁パネル１０、１１を上下階に配置し、これら上下階の外装材付き壁パネル１０、１１の上階外装材１０ｂである前記上方の外装材１０ｂと下階外装材１１ｂである前記下方の外装材１１ｂとの間の幅狭部Ｈに取り付けるものであり、
前記支持体１を、前記幅狭部Ｈに所定間隔で挿入して前記建物躯体の表面に設け、かつ、少なくとも前記下階外装材１１ｂの上面１１ｃに設置することによって、幅狭部Ｈに仮固定される複数の下地部材１として構成しており、
前記水切り本体２を、前記幅狭部Ｈに、その長手方向に沿って挿入することで、前記下地部材１に係合して連結し、前記幅狭部Ｈおよび前記下階外装材１１ｂの上端部を覆うようにして設けていることから、前記幅狭部Ｈを前記水切り本体２によって覆うことができるので、秀麗な外観に仕上げることができるとともに、前記下地部材１を前記幅狭部Ｈに予め仮固定し、この仮固定された下地部材１に対して、前記水切り本体２を係合させて建物躯体に固定するので、前記幅狭部Ｈのような狭い隙間においても容易に取り付けることができる。
また、前記幅狭部Ｈに所定間隔で挿入する下地部材１に対して、この下地部材１に係合する前記水切り本体２を、前記幅狭部Ｈの長さ方向に沿って挿入するので、前記水切り本体２に覆われた幅狭部Ｈにおいて、所定間隔に挿入した前記下地部材１、１間に隙間を形成でき、この下地部材１、１間の隙間を水・通気経路として確保することができる。
【００１５】
請求項３に記載の発明は、例えば図１および図２に示すように、請求項２に記載の水切り部材Ａにおいて、
前記下地部材１を、前記水切り本体２とともに建物躯体に固定される下地部材本体３と、この下地部材本体３に連結され、かつ、前記下階外装材１１ｂの上面１１ｃに設置される取り付け補助部材４とから構成していることを前記課題の解決手段とした。
【００１６】
請求項３に記載の発明によれば、前記下地部材１を、前記水切り本体２とともに建物躯体に固定される下地部材本体３と、この下地部材本体３に連結され、かつ、前記下階外装材１１ｂの上面１１ｃに設置される取り付け補助部材４とから構成していることによって、前記下地部材本体３に連結された状態の取り付け補助部材４を前記下階外装材１１ｂの上面１１ｃに設置することにより、これら下地部材本体３および取り付け補助部材４を幅狭部Ｈに仮固定しておくことができ、しかも、このように仮固定された下地部材本体３を前記水切り本体２とともに建物躯体に取り付け固定する際においても、予め仮固定されているので位置ずれ等が生じることも無く、前記幅狭部Ｈのような幅の狭い隙間でも容易に取り付けることができる。
【００１７】
請求項４に記載の発明は、例えば図２に示すように、請求項３に記載の水切り部材Ａにおいて、
前記下地部材本体３の表面に第１および第２のレール部３ｆ、３ｇを上下に離間して形成しており、前記第１のレール部３ｆの上溝部３ｈに、前記水切り本体２の一部を挿入し、この第１のレール部３ｆの下溝部３ｉと前記第２のレール部３ｇの溝部３ｊとに、前記取り付け補助部材４の一部を嵌合させていることを前記課題の解決手段とした。
【００１８】
請求項４に記載の発明によれば、前記下地部材本体３の表面に第１および第２のレール部３ｆ、３ｇを上下に離間して形成しており、前記第１のレール部３ｆの上溝部３ｈに、前記水切り本体２の一部を挿入し、この第１のレール部３ｆの下溝部３ｉと前記第２のレール部３ｇの溝部３ｊとに、前記取り付け補助部材４の一部を嵌合させていることから、前記下地部材本体３と前記水切り本体２、前記下地部材本体３と前記取り付け補助部材４を容易に組み付けることができるので、前記幅狭部Ｈのような狭い隙間においても前記水切り部材Ａを容易に取り付けることができる。
【００１９】
請求項５に記載の発明は、例えば図１および図２に示すように、請求項３または４に記載の水切り部材Ａにおいて、
前記下地部材本体３の裏面に、この下地部材本体３を前記上階の外装材付き壁パネル１０の一部に支持させる第１および第２の脚部３ａ、３ｂと、前記下階の外装材付き壁パネル１１の一部に支持させる第３の脚部３ｃを形成していることを前記課題の解決手段とした。
【００２０】
請求項５に記載の発明によれば、前記下地部材本体３の裏面に、この下地部材本体３を前記上階の外装材付き壁パネル１０の一部に支持させる第１および第２の脚部３ａ、３ｂと、前記下階の外装材付き壁パネル１１の一部に支持させる第３の脚部３ｃを形成していることから、前記下地部材本体３を、前記第１および第２の脚部３ａ、３ｂ、前記第３の脚部３ｃによって、前記上階の外装材付き壁パネル１０にも、前記下階の外装材付き壁パネル１１にも支持させることができるので、下地部材本体３を安定的に取り付けることができる。したがって、この下地部材本体３に水切り本体２を確実に取り付けることができるので、水切り部材Ａを確実に取り付けることができる。
【００２１】
請求項６に記載の発明は、例えば図１および図２に示すように、請求項２〜５のいずれか一項に記載の水切り部材Ａにおいて、
前記水切り本体２の上端部裏面に形成された係止部２ｅと、前記水切り本体２の下端部裏面に形成された下端係止部２ｆ間に、互いに隣接すべき水切り本体２、２どうしを連結するジョイナー部材６を前記水切り本体２の裏面に沿って取り付けていることを前記課題の解決手段とした。
【００２２】
請求項６に記載の発明によれば、前記水切り本体２の上端部裏面に形成された係止部２ｅと、前記水切り本体２の下端部裏面に形成された下端係止部２ｆ間に、互いに隣接すべき水切り本体２、２どうしを連結するジョイナー部材６を前記水切り本体２の裏面に沿って取り付けていることから、互いに隣接する水切り本体２、２どうしを確実に連結することができるとともに、連結強度を向上させることができ、さらに、これら隣接すべき水切り本体２、２間から雨水等が侵入することも無く、防水性に優れる。
【００２３】
請求項７に記載の発明は、例えば図６に示すように、請求項１に記載の水切り部材Ａにおいて、
予め外壁パネル１０ａ（１１ａ）表面の上下方向に取り付けられた上方外装材１０ｂである前記上方の外装材１０ｂと下方外装材１１ｂである前記下方の外装材１１ｂとの間の幅狭部Ｈに取り付けられるものであり、
前記支持体１を、前記水切り本体２を支持する下地材１として、前記外壁パネル１０ａ（１１ａ）の表面に設けるとともに、前記下方外装材１１ｂの上面１１ｃに設置して、前記幅狭部Ｈに取り付け、
前記水切り本体２を、前記幅狭部Ｈの長手方向に沿って挿入するとともに、前記下地材１の一部と連結し、かつ、前記幅狭部Ｈおよび前記下方外装材１１ｂの上端部を覆うようにして設けていることを前記課題の解決手段とした。
【００２４】
請求項７に記載の発明によれば、予め外壁パネル１０ａ（１１ａ）表面の上下方向に取り付けられた上方外装材１０ｂである前記上方の外装材１０ｂと下方外装材１１ｂである前記下方の外装材１１ｂとの間の幅狭部Ｈに取り付けられるものであり、
前記支持体１を、前記水切り本体２を支持する下地材１として、前記外壁パネル１０ａ（１１ａ）の表面に設けるとともに、前記下方外装材１１ｂの上面１１ｃに設置して、前記幅狭部Ｈに取り付け、
前記水切り本体２を、前記幅狭部Ｈの長手方向に沿って挿入するとともに、前記下地材１の一部と連結し、かつ、前記幅狭部Ｈおよび前記下方外装材１１ｂの上端部を覆うようにして設けていることから、前記上方外装材１０ｂと下階外装材との間の幅狭部Ｈを、前記水切り部材Ａを構成する水切り本体２によって覆うことができるので、従来とは異なり、幕板を設けなくとも、秀麗な外観に仕上げることができる。
また、前記水切り部材Ａを構成する下地材１を、前記外壁パネル１０ａ（１１ａ）の表面に設けるとともに、前記下方外装材１１ｂの上面１１ｃに設置して、前記幅狭部Ｈに取り付けるので、前記幅狭部Ｈのような狭い隙間においても、前記水切り部材Ａを容易に取り付けることができる。
【００２５】
請求項８に記載の発明は、例えば図６に示すように、請求項７に記載の水切り部材Ａにおいて、
前記下地材１を、前記水切り本体２とともに外壁パネル１０ａ（１１ａ）に固定される胴縁３と、前記下方外装材１１ｂの上面１１ｃに配置し、かつ、前記胴縁３とともに前記外壁パネル１０ａ（１１ａ）に固定する取り付け補助部材４とから構成していることを前記課題の解決手段とした。
【００２６】
請求項８に記載の発明によれば、前記下地材１を、前記水切り本体２とともに外壁パネル１０ａ（１１ａ）に固定される胴縁３と、前記下方外装材１１ｂの上面１１ｃに配置し、かつ、前記胴縁３とともに前記外壁パネル１０ａ（１１ａ）に固定する取り付け補助部材４とから構成していることによって、前記下地材１を、位置ずれ等を生じさせることも無く幅狭部Ｈに取り付けることができるので、前記幅狭部Ｈのような幅の狭い隙間でも、前記水切り部材Ａを容易に取り付けることができる。
【００２７】
請求項９に記載の発明は、例えば図６に示すように、請求項７または８に記載の水切り部材Ａにおいて、
前記水切り本体２の上端部裏面に形成された係止部２ｅと、前記水切り本体２の下端部裏面に形成された下端係止部２ｆ間に、互いに隣接する水切り本体２、２どうしを連結するジョイナー部材６を前記水切り本体２の裏面に沿って取り付けていることを前記課題の解決手段とした。
【００２８】
請求項９に記載の発明によれば、前記水切り本体２の上端部裏面に形成された係止部２ｅと、前記水切り本体２の下端部裏面に形成された下端係止部２ｆ間に、互いに隣接する水切り本体２、２どうしを連結するジョイナー部材６を前記水切り本体２の裏面に沿って取り付けていることから、互いに隣接する水切り本体２、２どうしを確実に連結することができるとともに、連結強度を向上させることができ、さらに、これら隣接すべき水切り本体２、２間から雨水等が侵入することも無く、防水性に優れる。
【発明の効果】
【００２９】
本発明の水切り部材によれば、予め表面に外装材が取り付けられた外装材付き壁パネルが上下階に配置された場合の、これら上下階の外装材付き壁パネルの上階外装材と下階外装材との間や、予め外壁パネル表面の上下方向に取り付けられた場合の上方外装材と下方外装材との間など、上方の外装材と下方の外装材との間の幅狭部を、前記水切り部材を構成する水切り本体によって覆うことができるので、従来とは異なり、幕板を設けなくとも、秀麗な外観に仕上げることができる。
また、複数の下地部材もしくは下地材として構成された支持体を、前記建物躯体の表面に設けるとともに、前記下方の外装材の上面に設置して、前記幅狭部に取り付けるので、前記幅狭部のような狭い隙間においても、前記水切り部材を容易に取り付けることができる。
さらに、前記水切り部材を構成する下地部材を前記幅狭部に予め仮固定し、この仮固定された下地部材に対して、前記水切り本体を係合させて建物躯体に固定するので、前記幅狭部のような狭い隙間においても容易に取り付けることができる。
【発明を実施するための最良の形態】
【００３０】
以下、図面を参照して本発明に係る水切り部材Ａの実施の形態について説明する。
【００３１】
本実施の形態の水切り部材Ａは、図２または図６に示すように、建物躯体の外表面を覆う上方の外装材１０ｂと下方の外装材１１ｂとの間の幅狭部Ｈに取り付けられるものであり、
前記建物躯体の表面に設けられるとともに、前記下方の外装材１１ｂの上面１１ｃに設置されて、前記幅狭部Ｈに取り付けられる支持体１と、
前記幅狭部Ｈの長手方向に沿って挿入されるとともに、前記支持体１の一部と連結し、かつ、前記幅狭部Ｈおよび前記下方の外装材１１ｂの上端部を覆うようにして設けられる水切り本体２とを備えている。
【００３２】
このように、本実施の形態の水切り部材Ａは、建物躯体の外表面を覆う上方の外装材１０ｂと下方の外装材１１ｂとの間の幅狭部Ｈに設けられるものであり、予め表面に外装材１０ｂ、１１ｂが取り付けられた外装材付き壁パネル１０、１１が上下階に配置された場合の、これら上下階の外装材付き壁パネル１０、１１の上階外装材１０ｂと下階外装材１１ｂとの間の幅狭部Ｈや、予め外壁パネル１０ａ（１１ａ）表面の上下方向に取り付けられた場合の上方外装材１０ｂと下方外装材１１ｂとの間の幅狭部Ｈなどに取り付けることができる。
そして、これら両方の幅狭部Ｈに取り付けられる水切り部材Ａの、それぞれの実施の形態を説明するに際し、予め表面に外装材１０ｂ、１１ｂが取り付けられた外装材付き壁パネル１０、１１が上下階に配置された場合の幅狭部Ｈに取り付けられる水切り部材Ａについては、以下、第１の実施の形態として説明し、予め外壁パネル１０ａ（１１ａ）表面の上下方向に取り付けられた場合の幅狭部Ｈに取り付けられる水切り部材Ａについては、以下、第２の実施の形態として説明する。
【００３３】
［第１の実施の形態］
本実施の形態の水切り部材Ａは、図１に示すように、予め表面に外装材１０ｂ、１１ｂが取り付けられた外装材付き壁パネル１０、１１が上下階に配置され、これら上下階の外装材付き壁パネル１０、１１の上階外装材１０ｂである前記上方の外装材１０ｂと下階外装材１１ｂである下方の外装材１１ｂとの間の幅狭部Ｈに取り付けられるものであり、
前記支持体１は、前記幅狭部Ｈに所定間隔で挿入されて前記建物躯体の表面に設けられ、かつ、少なくとも前記下階外装材１１ｂの上面１１ｃに設置されることによって、幅狭部Ｈに仮固定される複数の下地部材１として構成されており、
前記水切り部材Ａは、前記下地部材１に係合して連結した状態で前記幅狭部Ｈに、その長手方向に沿って挿入され、前記幅狭部Ｈおよび前記下階外装材１１ｂの上端部を覆うようにして設けられている。
【００３４】
なお、本実施の形態の水切り部材Ａは、主としてアルミニウムの押出成型によって形成されているが、これに限定されるものではなく、例えば、鋼製やプラスチック製のものでも良く、本発明の趣旨を逸脱しない範囲で適宜変更可能である。
【００３５】
前記下地部材１は、前記水切り本体２とともに建物躯体に固定される下地部材本体３と、この下地部材本体３に連結され、かつ、前記下階外装材１１ｂの上面１１ｃに設置される取り付け補助部材４とから構成されている。
【００３６】
前記水切り本体２は、前記幅狭部Ｈの長手方向に沿って、この幅狭部Ｈおよび前記下階外装材１１ｂの上端部を覆うように取り付けられており、前記下地部材１とともに前記幅狭部Ｈに取り付けられる下地部材連結部２ａと、この下地部材連結部２ａの下端部２ｄ近傍から水平方向に延出する延出部２ｂと、この延出部２ｂの先端部近傍から下方に向かって、前記幅狭部Ｈおよび前記下階外装材１１ｂの上端部を覆う水切り部２ｃとが備えられている。
また、前記幅狭部Ｈに所定間隔で挿入される下地部材１に対して、この下地部材１に係合される前記水切り本体２が、前記幅狭部Ｈの長さ方向に沿って挿入されるので、前記水切り本体２に覆われた幅狭部Ｈにおいて、所定間隔に挿入した前記下地部材１、１間に隙間が形成されて、この下地部材１、１間の隙間が水・通気経路として確保されている。
【００３７】
前記下地部材本体３は、その裏面に、この下地部材本体３を前記上階の外装材付き壁パネル１０の一部に支持させる第１および第２の脚部３ａ、３ｂと、前記下階の外装材付き壁パネル１１の一部に支持させる第３の脚部３ｃとが備えられている。
また、これら脚部３ａ、３ｂ、３ｃに支持されて、前記水切り本体２の下地部材連結部２ａと連結し、この下地部材連結部２ａとともに前記幅狭部Ｈに取り付けられる水切り本体連結部３ｄと、この水切り本体連結部３ｄの下方に位置し、前記取り付け補助部材４と当接する取り付け補助部材４当接部３ｅとが備えられている。
一方の表面には、前記水切り本体連結部３ｄと前記取り付け補助部材４当接部３ｅとの中間付近に位置し、前記水切り本体２の下地部材連結部２ａの下端部２ｄが挿入される上溝部３ｈと、前記取り付け補助部材４の垂直板部４ａの上端部が嵌合される下溝部３ｉとを有する第１のレール部３ｆと、前記取り付け補助部材４の垂直板部４ａの下端部が嵌合される溝部３ｊを有する第２のレール部３ｇとが上下に離間して備えられている。
【００３８】
前記取り付け補助部材４は、断面略Ｌ字状に形成されており、前記下地部材本体３と連結されるとともに、その上端部を前記第１のレール部３ｆの下溝部３ｉに、その下端部を前記第２のレール部３ｇの溝部３ｊに嵌合する垂直板部４ａと、この垂直板部４ａの下端部近傍から段状部４ｃを介して水平に外側に向かって延出する水平板部４ｂとが備えられている。
なお、前記取り付け補助部材４は、本実施の形態では断面略Ｌ字状の取り付け補助部材４としたが、これに限られるものではなく、本発明の趣旨を逸脱しない範囲で適宜変更可能である。
【００３９】
前記水密材５は、前記取り付け補助部材４の水平板部４ｂの下面に貼り付けられ、この状態で前記下階外装材１１ｂの上面１１ｃに載置されており、弾性を有するとともに、柔軟性を有し、かつ、水が浸透しにくい材料からなっている。他にも例えば、多数の独立気泡を有する低発泡性の樹脂からなる発泡ＥＰＤＭ（エチレンプロピレンジエンターポリマ）や防水用シリコン材、各種ゴム、その他の弾性と柔軟性および可撓性を有する合成樹脂を用いることができる。
【００４０】
また、前記水切り本体２の前記延出部２ｂの下面に形成された係止部２ｅと前記水切り部２ｃの下端部に形成された下端係止部２ｆ間に、前記水切り部２ｃの裏面に沿って、ジョイナー部材６が取り付けられており、このジョイナー部材６が取り付けられることによって、前記水切り本体２に隣接すべき水切り本体２との連結を確実に行うことができ、接合強度を向上させることができる。その上、水切り本体２、２間の隙間から雨水等が侵入するのを防ぐことも可能となり、防水性に優れる。
さらに、前記延出部２ｂの上面と、前記上階外装材１０ｂの下面１０ｃとの間に、シーリング材７が充填されており、このシーリング材７と前記水切り本体２によって前記幅狭部Ｈを隙間無く覆うことができ、外観性を向上させることができるとともに防水性を向上させることができる。
そして、このシーリング材７の裏側、ビス９との中間部分にバックアップ材８が挿入されており、このバックアップ材８によって前記シーリング材７が支持されて、シーリング材７の充填状態が向上する。
【００４１】
上記のような構成の水切り部材Ａが取り付けられる外壁の構造は、図３に示すように、前記上階の外装材付き壁パネル１０と、下階の外装材付き壁パネル１１とが上階の床部１２を介して連結されており、特に、前記上階の外装材付き壁パネル１０の上階外装材１０ｂと、前記下階の外装材付き壁パネル１１の下階外装材１１ｂとの間に、前記水切り部材Ａが取り付けられる幅狭部Ｈが形成されている。
そして、この幅狭部Ｈでは、上階の壁パネル１０ａの下端部１０ｅから前記上階の床部１２の下端部近傍まで突出するようにして設けられた下耳部材１０ｄの下端部外面に、前記上階外装材１０ｂの下側から延出する防水透湿シート１３ａと、下階外装材１１ｂの下側から延出する防水透湿シート１３ｂとが重ね合わされ、両面テープ１４ｂによって貼り付けされて納められている。
【００４２】
前記上階の外装材付き壁パネル１０は、構造壁となる壁パネル１０ａの表面に上階外装材１０ｂが防水透湿シート１３ａと胴縁３（図示せず）を介して取り付けられている。壁パネル１０ａの下端部１０ｅ外面には、該壁パネル１０ａの下端から下方に突出するようにして前記下耳部材１０ｄが設けられている。
前記下耳部材１０ｄは壁パネル１０ａの下端部１０ｅと上階外装材１０ｂの下端部との間に介在されており、前記上階外装材１０ｂは、前記下耳部材１０ｄの下端より下方に突出するように設けられている。また、前記上階外装材１０ｂと下耳部材１０ｄとの間には水抜きパッキン材１５が設けられている。
【００４３】
ここで、壁パネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。また、その内部中空な部分には、通常、グラスウールやロックウール等の断熱材が装填される。
【００４４】
前記上階の外装材付き壁パネル１０の上階外装材１０ｂは、上階の壁パネル１０ａの表面に予め取り付けられているとともに、この壁パネル１０ａと上階外装材１０ｂとの間に、前記下耳部材１０ｄが取り付けられている。そして、前記上階外装材１０ｂおよび下耳部材１０ｄの下端部は壁パネル１０ａの下端部１０ｅから前記上階の床部１２の下端部近傍まで突出するようにして設けられている。これによって、壁パネル１０ａの表面を上階外装材１０ｂで覆うだけでなく、上階の床部１２の表面も上階外装材１０ｂで覆うことができるとともに、現場で上階外装材１０ｂを取り付ける手間を省くことができる。
【００４５】
前記下耳部材１０ｄは、前記壁パネル１０ａの下端部１０ｅから前記上階の床部１２の下端部近傍まで突出するようにして設けられているが、前記上階の床部１２の表面との間には僅かな隙間が形成されている。この隙間を埋めて上階外装材１０ｂの破損を防ぐようにするために、調整材１６ａが予め取り付けられている。また、この調整材１６ａと対応して合わさる調整材１６ｂが上階の床部１２の表面にも予め取り付けられている。
また、この下耳部材１０ｄの下端部近傍の表面には、予め第１の両面テープ１４ａが貼り付けられ、後工程にて離型紙１４ｃが剥がされて、この第１の両面テープ１４ａに下階から延出する防水透湿シート１３ｂが貼り付けられる構成となっている。
【００４６】
前記下階の外装材付き壁パネル１１は、前記上階の外装材付き壁パネル１０と同様に、下階の壁パネル１１ａの表面を覆うようにして下階外装材１１ｂが取り付けられてなるもので、この下階外装材１１ｂは胴縁１１ｄを介して取り付けられている。また、この下階外装材１１ｂの上面１１ｃは、壁パネル１１ａの上端面とほぼ同じ位置まで取り付けられている。
前記下階の外装材付き壁パネル１１の下階外装材１１ｂは、下階の壁パネル１１ａの表面に胴縁１１ｄを介して予め取り付けられており、これら下階の壁パネル１１ａと胴縁１１ｄとの間には防水透湿シート１３ｂが貼られている。
【００４７】
前記上階の床部１２は、上階床パネル１２ａと、この上階床パネル１２ａと同厚の胴差１２ｂとから構成されており、前記上階床パネル１２ａの端面に、前記胴差１２ｂの端面を当接させて、前記下階の外装材付き壁パネル１１の上端部１１ｅに配置されている。これら上階床パネル１２ａおよび胴差１２ｂの上部には、前記上階の外装材付き壁パネル１０が立設されている。
【００４８】
前記防水透湿シート１３ａ、１３ｂは、上階および下階の壁パネル１０ａ、１１ａの表面を覆うようにして設けられているとともに、上階および下階から所定の長さ分延出され、さらに、この延出された長さ分の防水透湿シート１３ａ、１３ｂが上階外装材１０ｂと下階外装材１１ｂとの間に形成される幅狭部Ｈにおいて重ね合わせられている。
そのうち、上階から延出する防水透湿シート１３ａは、上階の壁パネル１０ａの下端から下方に延出されて、前記下耳部材１０ｄの表面を覆うとともに、前記上階外装材１０ｂの下端よりさらに延出されて、下階外装材１１ｂの上端部まで設けられている。
なお、この上階外装材１０ｂの下端より延出された防水透湿シート１３ａは、図４に示すように、外側に折り曲げて、外壁の組み立て作業の妨げとならないようにしておくと望ましい。
【００４９】
下階から延出する防水透湿シート１３ｂは、下階の壁パネル１１ａの上端から上方に延出されて、この下階の壁パネル１１ａの表面を覆うとともに、前記下階外装材１１ｂよりさらに延出されて、この下階外装材１１ｂの上端部を経由し、かつ、上階外装材１０ｂの下端部まで達するようにして設けられている。
なお、この下階外装材１１ｂの上端より延出された防水透湿シート１３ｂにおいても、図４に示すように、前記上階から延出する防水透湿シート１３ａと同様に、外側に折り曲げて外壁の組み立て作業の妨げにならないように処理されていると望ましい。
【００５０】
前記下階から延出する防水透湿シート１３ｂの上端部外面には、予め第２の両面テープ１４ｂが貼り付けられ、後工程にて離型紙１４ｃが剥がされて、この第２の両面テープ１４ｂに上階から延出する防水透湿シート１３ａが貼り付けられる構成となっている。
【００５１】
ここで、防水透湿シート１３としては、例えば、商品名「タイベック（デュポン社製）」等を採用できる。この場合には、室内からの湿気は、断熱材に留まらずに防水透湿シートを介して室外側へ放散されるため、壁体構造の内部には結露が生じない。また、室外が屋外となる場合には、防水透湿シートにより、屋外からの雨水等の浸入を防止でき、壁体構造を保護できる。
【００５２】
前記水抜きパッキン材１５は、図３に示すように、前記上階外装材１０ｂの下端部と壁パネル１０ａの下端部１０ｅとの間に下耳部材１０ｄが介在することによって、上階外装材１０ｂの裏面側の水を容易に抜いて、下耳部材１０ｄ上に水が溜まるのを防ぐために設けられるものであり、弾性を有する合成樹脂が帯板状に形成されてなるものである。
【００５３】
以上のような構成の外壁を構築するには、図４に示すように、所定の位置に立設させた下階の外装材付き壁パネル１１の上端面に、胴差１２ｂの側面と床パネル１２ａの側面とを当接させて上階の床部１２を設置する。また、前記胴差１２ｂの表面には予め調整材１６ｂを取り付けておき、この調整材１６ｂを下階の壁パネル１１ａの表面よりも若干内側に位置するようにして上階の床部１２の設置を行う。
【００５４】
そして、下階の外装材付き壁パネル１１上に設置された上階床部１２上に、上階の外装材付き壁パネル１０を立設させる。この時、前記下耳部材１０ｄに取り付けられた調整材１６ａと、前記胴差１２ｂの表面に取り付けられた調整材１６ｂとの位置を合わせるようにしながら、下階の外装材付き壁パネル１１の直上に位置するように上階の外装材付き壁パネル１０を立設させる。
【００５５】
この時、上階および下階の外装材付き壁パネル１０、１１には、予め外装材１０ｂ、１１ｂが取り付けられているので、これら上階および下階の外装材付き壁パネル１０、１１を組み付けるだけで、上階外装材１０ｂと下階外装材１１ｂとの間に幅狭部Ｈが形成される。
【００５６】
次に、幅狭部Ｈの防水透湿シート１３ａ、１３ｂの処理方法としては、まず、図５に示すように、前記下耳部材１０ｄに予め貼り付けられた第１の両面テープ１４ａの離型紙１４ｃを剥がし、この第１の両面テープ１４ａに対して、前記下階から延出する防水透湿シート１３ｂを貼り付ける。
そして、この下階から延出する防水透湿シート１３ｂに予め貼り付けられた第２の両面テープ１４ｂの離型紙１４ｃを剥がし、この第２の両面テープ１４ｂに対して、前記上階から延出する防水透湿シート１３ａを貼り付ける。
【００５７】
以上のように構築された幅狭部Ｈに、前記水切り部材Ａを取り付けるには、図２に示すように、まず、前記下地部材本体３と前記取り付け補助部材４とを連結する。連結に際しては、前記下地部材本体３に形成された第１のレール部３ｆの下溝部３ｉと、第２のレール部３ｇの溝部３ｊとに、前記取り付け補助部材４の垂直板部４ａを嵌合させて連結する。
この際、前記取り付け補助部材４を前記下地部材本体３の側方から、前記下溝部３ｉと前記溝部３ｊとの間に差し込むようにして取り付けて連結させる。
【００５８】
次に、前記取り付け補助部材４の水平板部４ｂの下面に前記水密材５を貼り付けておき、このように構成された下地部材１を前記下階外装材１１ｂの上面１１ｃに設置して仮固定する。また、この下地部材１を前記幅狭部Ｈに所定間隔で挿入し、それぞれ仮固定しておく。
【００５９】
その後、前記水切り本体２の下地部材連結部２ａの下端部２ｄを、前記下地部材本体３の第１のレール部３ｆの上溝部３ｈに挿入して、これら水切り本体２と下地部材本体３とを仮取り付けしておく。
また、これら水切り本体２と下地部材本体３とを仮取り付けした際に、前記第１のレール部３ｆの上溝部３ｈに前記下地部材連結部２ａの下端部２ｄを挿入するだけでなく、この第１のレール部３ｆは、上側先端が水平方向に屈曲した構造となっているので、前記水切り本体２を支持することができる。
【００６０】
このような状態のまま、この水切り部材Ａを躯体に取り付けるが、まず、前記下地部材本体３に形成された第１および第２の脚部３ａ、３ｂを前記下耳部材１０ｄに当接させるとともに、前記第３の脚部３ｃを前記下階の外装材付き壁パネル１１の壁パネル１１ａ表面に当接させる。
この時、前記上階および下階から延出する防水透湿シート１３ａ、１３ｂを前記下地部材本体３の脚部３ａ、３ｂ、３ｃによって押さえ付けるので、これら防水透湿シート１３ａ、１３ｂが剥がれたり、位置ずれしたりすることが無いので、防水性を向上させることができる。
【００６１】
そして、仮取り付けされた状態の前記水切り本体２と前記下地部材本体３とを連結する際には、これら水切り本体２および下地部材本体３のそれぞれの連結部分に予めビス孔９ａを開けておき、このビス孔９ａから前記下耳部材１０ｄ、前記調整材１６ｂ、前記胴差１２ｂに至るまでをビス９留めして、前記水切り本体２と前記下地部材本体３とを前記上階の外装材付き壁パネル１０に取り付ける。
【００６２】
次に、前記水切り本体２の延出部２ｂおよび水切り部２ｃに形成された係止部２ｅと下端係止部２ｆとの間に、前記ジョイナー部材６を取り付ける。このジョイナー部材６を取り付けるには、前記水切り本体２の側方から差し込むようにして取り付けるようにする。
【００６３】
次に、前記水切り本体２の延出部２ｂの上面と、前記上階外装材１０ｂの下面１０ｃとの間に、前記幅狭部Ｈの長さ方向に沿ってシーリング材７を充填し、さらに防水性の向上を図るようにする。
なお、この時、シーリング材７の裏側、ビス９との中間部分にバックアップ材８を挿入しておき、このバックアップ材８によって前記シーリング材７を受け止めることができるとともに支持することができるので、前記シーリング材７の充填状態を向上させることが可能となる。
【００６４】
以上のように取り付けた水切り部材Ａによれば、上階外装材１０ｂと下階外装材１１ｂとの間の幅狭部Ｈを、前記水切り部材Ａを構成する水切り本体２によって覆うことができるので、従来とは異なり、幕板を設けなくとも、秀麗な外観に仕上げることができる。
また、前記水切り部材Ａを構成する下地部材１を前記幅狭部Ｈに予め仮固定し、この仮固定された下地部材１に対して、前記水切り本体２を係合させて建物躯体に固定するので、前記幅狭部Ｈのような狭い隙間においても容易に取り付けることができる。
【００６５】
なお、以上のような水切り部材Ａの取り付け箇所は、本実施の形態に記載した胴差１２ｂ部に限られず、例えば、吹抜け部やバルコニー手摺り壁、パネル中間部等の幅狭部Ｈにも取り付けることが可能であり、本発明の趣旨を逸脱しない範囲で適宜変更可能である。
【００６６】
［第２の実施の形態］
以下、図面を参照して本発明に係る水切り部材Ａにおける第２の実施の形態を説明する。なお、説明の便宜上、本実施の形態の水切り部材Ａについては上述した第１の実施の形態における水切り部材Ａとの異なる構成部分を主体として説明する。
また、本実施の形態の水切り部材Ａを取り付ける幅狭部Ｈは、建物躯体の表面に取り付けられる上方および下方の外装材１０ｂ、１１ｂのうち、前記下方の外装材１１ｂの上端部を、上階と下階との間の胴差よりも上方に延出させた場合の、前記上方の外装材１０ｂと下方の外装材１１ｂとの間の幅狭部Ｈであり、この幅狭部Ｈは建物の上階側の壁体である外壁パネル１０ａの中間部に位置している。
【００６７】
本実施の形態の水切り部材Ａは、図６に示すように、予め外壁パネル１０ａ表面の上下方向に取り付けられた上方外装材１０ｂである前記上方の外装材１０ｂと下方外装材１１ｂである前記下方の外装材１１ｂとの間の幅狭部Ｈに取り付けられるものであり、
前記支持体１は、前記水切り本体２を支持する下地材１として、前記外壁パネル１０ａの表面に設けられるとともに、前記下方外装材１１ｂの上面１１ｃに設置されて、前記幅狭部Ｈに取り付けられ、
前記水切り本体２は、前記幅狭部Ｈの長手方向に沿って挿入されるとともに、前記下地材１の一部と連結し、かつ、前記幅狭部Ｈおよび前記下方外装材１１ｂの上端部を覆うようにして設けられている。
【００６８】
前記下地材１は、前記水切り本体２とともに外壁パネル１０ａに固定される胴縁３と、前記下方外装材１１ｂの上面１１ｃに配置され、かつ、前記胴縁３とともに前記外壁パネル１０ａに固定される取り付け補助部材４とから構成されている。
【００６９】
前記水切り本体２は、前記幅狭部Ｈの長手方向に沿って、この幅狭部Ｈおよび前記下方外装材１１ｂの上端部を覆うように取り付けられており、前記下地材１とともに前記幅狭部Ｈに取り付けられる下地材連結部２ａと、この下地材連結部２ａの下端部２ｄ近傍から水平方向に延出する延出部２ｂと、この延出部２ｂの先端部近傍から下方に向かって、前記幅狭部Ｈおよび前記下方外装材１１ｂの上端部を覆う水切り部２ｃとが備えられている。
また、前記下地材連結部２ａには、この水切り本体２と前記下地材１とをビス９によって連結させるためのビス孔９ａが予め形成されている。
【００７０】
一方、前記水切り本体２の前記延出部２ｂの下面に形成された係止部２ｅと前記水切り部２ｃの下端部に形成された下端係止部２ｆ間に、前記水切り部２ｃの裏面に沿って、ジョイナー部材６が取り付けられており、このジョイナー部材６が取り付けられることによって、前記水切り本体２に隣接すべき水切り本体２との連結を確実に行うことができ、接合強度を向上させることができる。その上、水切り本体２、２間の隙間から雨水等が侵入するのを防ぐことも可能となり、防水性に優れる。
さらに、前記延出部２ｂの上面と、前記上方外装材１０ｂの下面１０ｃとの間に、シーリング材７が充填されており、このシーリング材７と前記水切り本体２によって前記幅狭部Ｈを隙間無く覆うことができ、外観性を向上させることができるとともに防水性を向上させることができる。
そして、このシーリング材７の裏側、ビス９との中間部分にバックアップ材８が挿入されており、このバックアップ材８によって前記シーリング材７が支持されて、シーリング材７の充填状態が向上する。
【００７１】
前記胴縁３は、前記外壁パネル１０ａの表面に水平に横架される水平材であり、前記幅狭部Ｈの位置する外壁パネル１０ａの表面に設けられて、前記水切り本体２および取り付け補助部材４とともに前記外壁パネル１０ａに固定されている。
【００７２】
前記取り付け補助部材４は、断面略Ｌ字状に形成されており、前記胴縁３と連結するための垂直板部４ａと、この垂直板部４ａの下端部近傍から段状部４ｃを介して水平に外側に向かって延出する水平板部４ｂとが備えられている。
また、前記垂直板部４ａには、この取り付け補助部材４と前記下地材１とをビス９によって連結させるためのビス孔９ｂが予め形成されている。
【００７３】
さらに、前記取り付け補助部材４の水平板部４ｂの下面には水密材５が貼り付けられており、この状態で前記下方外装材１１ｂの上面１１ｃに載置されており、弾性を有するとともに、柔軟性を有し、かつ、水が浸透しにくい材料からなっている。
【００７４】
上記のような構成の水切り部材Ａが取り付けられる建物躯体の構造には、外壁パネル１０ａが用いられる。この外壁パネル１０ａは、縦横の框材が矩形状に組み立てられるとともに、矩形枠の内部に補助棧材が縦横に組み付けられて枠体が構成され、図６に示すように、この枠体の両面に、面材が貼設されたものであり、内部中空な構造となっている。そして、その内部中空な部分には、通常、グラスウールやロックウール等の断熱材が装填される。
【００７５】
また、前記外壁パネル１０ａの表面に、前記上方外装材１０ｂと下方外装材１１ｂとが、前記外壁パネル１０ａ表面の上下方向に胴縁１０ｆを介して取り付けられている。そして、これら上方外装材１０ｂと下方外装材１１ｂとの間には幅の狭い隙間である幅狭部Ｈが生じる。
【００７６】
さらに、このような構造の建物躯体は、例えば、下方の外装材１１ｂの上端部を、上階と下階との間の胴差よりも上方に延出させたり、また、上方の外装材１０ｂの下端部を、前記胴差よりも下方に延出させたりすることによって、建物を見映え良く構築しようというものである。
【００７７】
なお、本実施の形態の建物躯体の構造には、外壁パネル１０ａが用いられるが、これに限られず、例えば、上方の外装材１０ｂの下端部を、前記胴差よりも下方に延出させることにより、前記幅狭部Ｈを下階側の外壁パネル１１ａの中間部に位置させても良い。
【００７８】
また、前記外壁パネル１０ａの表面には、図示はしないが防水透湿シート１３ａ（１３ｂ）が貼り付けられており、この防水透湿シート１３ａ（１３ｂ）によって室内の湿気を室外へ放散させるとともに、屋外からの雨水等の浸入を防止することができる。
【００７９】
以上のように構築された建物躯体の幅狭部Ｈに、前記水切り部材Ａを取り付けるには、図６に示すように、まず、前記胴縁３と前記取り付け補助部材４とを連結する。連結に際しては、前記取り付け補助部材４の水平板部４ｂの下面に前記水密材５を貼り付けておき、さらに、この水密材５の下面の位置に前記胴縁３の下面を合わせ、次に、前記取り付け補助部材４の垂直板部４ａに設けられたビス孔９ｂから前記胴縁３にビス９を込めて、これら胴縁３と取り付け補助部材４とを仮に連結するようにする。
なお、この他の方法でも、例えば、前記胴縁３を接着剤や釘打ち等によって前記外壁パネル１０ａの所定の位置に予め取り付けおくようにしても良い。
【００８０】
次に、前記取り付け補助部材４の水平板部４ｂを、前記下方外装材１１ｂの上面１１ｃに設置して、この状態のまま、前記ビス９を前記外壁パネル１０ａに捻じ込み、前記胴縁３と取り付け補助部材４とを共に外壁パネル１０ａに固定する。
【００８１】
そして、前記取り付け補助部材４の直上の位置に、前記水切り本体２を挿入して、この水切り本体２の下地材連結部２ａに形成されたビス孔９ａにビス９を捻じ込んで、前記水切り部材Ａと胴縁３とを共に、前記外壁パネル１０ａに固定する。
【００８２】
次に、前記水切り本体２の延出部２ｂおよび水切り部２ｃに形成された係止部２ｅと下端係止部２ｆとの間に、前記ジョイナー部材６を取り付ける。このジョイナー部材６を取り付けるには、前記水切り本体２の側方から差し込むようにして取り付けるようにする。
これによって、互いに隣接する水切り本体２、２どうしを確実に連結することができるとともに、連結強度を向上させることができ、さらに、これら隣接すべき水切り本体２、２間から雨水等が侵入することも無く、防水性に優れる。
【００８３】
次に、前記水切り本体２の延出部２ｂの上面と、前記上階外装材１０ｂの下面１０ｃとの間に、前記幅狭部Ｈの長さ方向に沿ってシーリング材７を充填し、さらに防水性の向上を図るようにする。
なお、この時、シーリング材７の裏側、ビス９との中間部分にバックアップ材８を挿入しておき、このバックアップ材８によって前記シーリング材７を受け止めることができるとともに支持することができるので、前記シーリング材７の充填状態を向上させることが可能となる。
【００８４】
以上のように取り付けた水切り部材Ａによれば、前記上方外装材１０ｂと下階外装材との間の幅狭部Ｈを、この水切り部材Ａを構成する水切り本体２によって覆うことができるので、従来とは異なり、幕板を設けなくとも、秀麗な外観に仕上げることができる。
また、前記水切り部材Ａを構成する下地材１を、前記外壁パネル１０ａの表面に設けるとともに、前記下方外装材１１ｂの上面１１ｃに設置して、前記幅狭部Ｈに取り付けるので、前記幅狭部Ｈのような狭い隙間においても、前記水切り部材Ａを容易に取り付けることができる。
さらに、前記下地材１が、前記水切り本体２とともに外壁パネル１０ａに固定される胴縁３と、前記下方外装材１１ｂの上面１１ｃに配置し、かつ、前記胴縁３とともに前記外壁パネル１０ａに固定される取り付け補助部材４とから構成されていることによって、前記下地材１を、位置ずれ等を生じさせることも無く幅狭部Ｈに取り付けることができるので、前記幅狭部Ｈのような幅の狭い隙間でも、前記水切り部材Ａを容易に取り付けることができる。
【図面の簡単な説明】
【００８５】
【図１】幅狭部に取り付けられた水切り部材を示す斜視図である。
【図２】幅狭部に取り付けられた水切り部材を拡大して示す断面図である。
【図３】幅狭部を形成する外壁構造の一例を示す断面図である。
【図４】図３に示す外壁の構築過程を示す断面図である。
【図５】幅狭部における防水透湿シートの貼り合わせ構造を示す断面図である。
【図６】前記上方外装材と下階外装材との間の幅狭部に取り付けられた水切り部材を示す断面図である。
【符号の説明】
【００８６】
Ａ  水切り部材
Ｈ  幅狭部
１  支持体（下地部材）(下地材）
２  水切り本体
３  下地部材本体（胴縁）
４  取り付け補助部材
５  水密材
６  ジョイナー部材
７  シーリング材
１０  上階の外装材付き壁パネル
１０ｂ  上階外装材（上方外装材）
１１  下階の外装材付き壁パネル
１１ｂ  下階外装材（下方外装材）
【図１】
2006097451.tif 000003
【図２】
2006097451.tif 000004
【図３】
2006097451.tif 000005
【図４】
2006097451.tif 000006
【図５】
2006097451.tif 000007
【図６】
2006097451.tif 000008